(57)【特許請求の範囲】
【請求項１】
展示用ボードに設けられた貫通孔に取り付けられて、物品吊り下げ部に物品を吊り下げることが可能な物品吊り下げ部材であって、
物品吊り下げ部が前方に突出するように固定されて左右端部が貫通孔左右縁部に前側から当接する前側当接部と、貫通孔上縁部に後側から当接する後側当接部と、貫通孔上縁部に下側から当接する上側当接部と、貫通孔下縁部に上側から当接する下側当接部とを備えており、
下側当接部は、貫通孔下縁部から離れる方向に弾性変形可能とされており、
貫通孔下縁部前面よりも前方に突出して、前側当接部の下面との間に弾性変形可能間隙を有する突出部と、貫通孔下縁部に後側から当接する突起とが下側当接部に一体に設けられており、
下側当接部は、上端が上側当接部に固定され、他端が自由端とされた湾曲状をなす弾性変形部の自由端側に設けられており、
展示用ボードの貫通孔が上下に長い長方形状とされており、
後側当接部は、貫通孔左右幅よりも左右長さが小さい短尺部と、短尺部上端に連なって設けられた貫通孔左右幅よりも左右長さが大きい長尺部とを備えており、
物品吊り下げ部が展示用ボードにほぼ平行とされた折り畳み状態において、後側当接部の長尺部が貫通孔下縁部に後側から当接し、後側当接部の短尺部が貫通孔下縁部に上側から当接し、弾性変形部に設けられた折り畳み時当接用のリブが貫通孔下縁部に前側から当接するようになされていることを特徴とする物品吊り下げ部材。
【請求項２】
突起は、頂点から後方にのびる後側傾斜面を有していることを特徴とする請求項１に記載の物品吊り下げ部材。
【発明の詳細な説明】
【技術分野】
【０００１】
この発明は、展示用ボードに設けられた貫通孔に取り付けられて、物品を吊り下げることが可能な物品吊り下げ部材に関する。
【背景技術】
【０００２】
台紙などの展示用ボードに設けられた貫通孔に取り付けられて、物品を吊り下げることが可能な物品吊り下げ部材としては、物品吊り下げ部材を一体品として構成し、展示用ボードの貫通孔縁部に固定した状態で使用されるもの（折り畳みができないタイプ）がよく知られている。
【０００３】
特許文献１には、物品吊り下げ部材を一体品として構成し、これを物品を吊り下げることが可能な使用状態から展示用ボードにほぼ平行な折り畳み状態に移動させることが可能な物品吊り下げ部材が開示されている。
【特許文献１】特許第５３０４０９９号公報
【発明の開示】
【発明が解決しようとする課題】
【０００４】
従来の物品吊り下げ部材では、取付けおよび取外しが容易であることが課題となっている。特許文献１の物品吊り下げ部材は、一体品として構成されているため、２部材からなる折り畳み可能な物品吊り下げ部材に比べて、展示用ボードに取り付ける際の手間が少なくて済むという利点を有しているが、このものでも、取付けおよび取外しがさらに容易であることが望まれている。
【０００５】
この発明の目的は、展示用ボードへの取付けおよび取外しが容易である物品吊り下げ部材を提供することにある。
【課題を解決するための手段】
【０００６】
この発明による物品吊り下げ部材は、展示用ボードに設けられた貫通孔に取り付けられて、物品吊り下げ部に物品を吊り下げることが可能な物品吊り下げ部材であって、物品吊り下げ部が前方に突出するように固定されて左右端部が貫通孔左右縁部に前側から当接する前側当接部と、貫通孔上縁部に後側から当接する後側当接部と、貫通孔上縁部に下側から当接する上側当接部と、貫通孔下縁部に上側から当接する下側当接部とを備えており、下側当接部は、貫通孔下縁部から離れる方向に弾性変形可能とされており、貫通孔下縁部前面よりも前方に突出して、前側当接部の下面との間に弾性変形可能間隙を有する突出部と、貫通孔下縁部に後側から当接する突起とが下側当接部に一体に設けられていることを特徴とするものである。
【０００７】
上記において、「〜縁部に〜側から当接する」は、「〜縁部との間に隙間がない」だけを意味するものではなく、〜縁部とわずかな隙間をおいて対向していて、「〜縁部が〜側に移動した場合に〜側から当接する」を含むものとする。
【０００８】
この発明の物品吊り下げ部材によると、前側当接部の左右端部が貫通孔左右縁部に前側から当接し、後側当接部が貫通孔上縁部に後側から当接し、突起が貫通孔下縁部に後側から当接し、上側当接部が貫通孔上縁部に下側から当接し、下側当接部が貫通孔下縁部に上側から当接することによって、物品吊り下げ部材の前後移動および上下移動ならびに回転が防止される。
【０００９】
したがって、物品吊り下げ部に物品を吊り下げたり、物品吊り下げ部から物品を取り外したりする際に、物品吊り下げ部に種々の方向の力作用したとしても、物品吊り下げ部材は、動くことなく、展示用ボードに取り付けられた状態を維持することができる。
【００１０】
そして、突出部を押し上げることで突起を上方に移動させ、突起が貫通孔下縁部に後側から当接している状態から当接していない状態に突起を移動させることができる。この状態で、物品吊り下げ部の前端部に上向きの力を作用させて物品吊り下げ部材を回転させることにより、物品吊り下げ部材はフリーな状態になり、物品吊り下げ部材を前方に移動させることで展示用ボードからの取外し作業が完了する。
【００１１】
逆に、取り外された状態の物品吊り下げ部材に対して、突出部を押し上げることで突起を上方に移動させ、突起を貫通孔下縁部の前側から後側へ移動させることにより、突起が貫通孔下縁部に後側から当接する状態となり、展示用ボードへの取付け作業が完了する。
【００１２】
こうして、下側当接部が貫通孔下縁部から離れる方向に弾性変形可能とされていることにより、突出部を押し上げるだけで物品吊り下げ部材の取付け・取外しを行うことができ、展示用ボードへの取付け・取外しが極めて容易な物品吊り下げ部材を得ることができる。
【００１３】
下側当接部は、上端が前側当接部、後側当接部および上側当接部のいずれかに固定され、他端が自由端とされた屈曲状または湾曲状をなす弾性変形部の自由端側に設けられていることが好ましい。より好ましくは  下側当接部は、上端が上側当接部に固定され、他端が自由端とされた湾曲状をなす弾性変形部の自由端側に設けられているものとされる。
【００１４】
このようにすることで、一体品の物品吊り下げ部材において、貫通孔下縁部から離れる方向に弾性変形可能とされている下側当接部を容易に形成することができる。
【００１５】
展示用ボードの貫通孔が上下に長い長方形状とされており、後側当接部は、貫通孔左右幅よりも左右長さが小さい短尺部と、短尺部上端に連なって設けられた貫通孔左右幅よりも左右長さが大きい長尺部とを備えており、物品吊り下げ部が展示用ボードにほぼ平行とされた折り畳み状態において、後側当接部の長尺部が貫通孔下縁部に後側から当接し、後側当接部の短尺部が貫通孔下縁部に上側から当接し、弾性変形部に設けられた折り畳み時当接用のリブが貫通孔下縁部に前側から当接するようになされていることが好ましい。
【００１６】
長尺部の左右長さは、長尺部の左右を上下に近い状態に傾けることで、貫通孔を通過させることができる大きさに設定される。長尺部の左右長さは、貫通孔の上下長さよりもわずかに小さくされてもよく、貫通孔の上下長さと同じ大きさでもよく、貫通孔の上下長さよりもわずかに大きくされてもよい。貫通孔左右幅よりも左右長さが大きい長尺部があることで、展示用ボードから物品吊り下げ部材を取り外す途中段階として、突起が貫通孔下縁部の前側に移動して、物品吊り下げ部材がフリーになり、かつ、長尺部が貫通孔の左右縁部に後側から当接する状態が得られる。この状態から長尺部を下方（貫通孔下縁部に当接する方向）へ移動させると、長尺部が貫通孔下縁部に後側から当接し、後側当接部の短尺部が貫通孔下縁部に上側から当接する状態が得られる。この状態で、弾性変形部は、その上部が貫通孔下縁部に前側から対向しており、この対向面に、貫通孔下縁部に前側から当接する折り畳み時当接用のリブを設けておくことで、折り畳み状態において、物品吊り下げ部の上端部に前向きの力が作用した際、折り畳み時当接用のリブが貫通孔下縁部に前側から当接し、物品吊り下げ部材の回転が防止される。
【００１７】
突起は、頂点から後方にのびる後側傾斜面を有していることが好ましい。
このようにすると、取付けに際しては、突起の後面が貫通孔下縁部の前面に当たった状態で、物品吊り下げ部を後方に押すようにすれば、傾斜面が貫通孔下縁部を乗り越えて、突起が貫通孔下縁部の後側に移動させられる。こうして、物品吊り下げ部材の取付けをより一層容易に行うことができる。
【発明の効果】
【００１８】
この発明の物品吊り下げ部材によると、上記のように、下側当接部が貫通孔下縁部から離れる方向に弾性変形可能とされていることにより、突出部を押し上げるだけで物品吊り下げ部材の取付け・取外しを行うことができ、展示用ボードへの取付け・取外しが極めて容易な物品吊り下げ部材を得ることができる。
【図面の簡単な説明】
【００１９】
【図１】図１は、この発明による物品吊り下げ部材の第１実施形態を示す側面図である。
【図２】図２は、この発明による物品吊り下げ部材の第１実施形態の取付け状態を示す図で、（ａ）は側面図、（ｂ）は正面図、（ｃ）は背面図である。
【図３】図３は、この発明による物品吊り下げ部材の第１実施形態の取付け・折り畳みの中間状態を示す図で、（ａ）は側面図、（ｂ）は正面図、（ｃ）は背面図である。
【図４】図４は、この発明による物品吊り下げ部材の第１実施形態の折り畳み状態を示す図で、（ａ）は側面図、（ｂ）は正面図、（ｃ）は背面図である。
【図５】図５は、この発明による物品吊り下げ部材の第１実施形態を展示用ボードに取り付ける際のステップを示す側面図である。
【図６】図６は、この発明による物品吊り下げ部材の第２実施形態を示す側面図である。
【図７】図７は、この発明による物品吊り下げ部材の第２実施形態の取付け状態を示す図で、（ａ）は側面図、（ｂ）は正面図、（ｃ）は背面図である。
【発明を実施するための最良の形態】
【００２０】
この発明の実施の形態を、以下図面を参照して説明する。
以下の説明において、物品吊り下げ部材(1)が展示用ボード(B)に取り付けられた使用状態において、展示用ボード(B)の表面を臨む側を前側、展示用ボード(B)の裏面を臨む側を後側といい、左右は、前側から見ていうものとする。また、上下は使用状態における上下をいうものとする。
【００２１】
図１から図５までに、この発明の物品吊り下げ部材(1)の第１実施形態を示す。
【００２２】
第１実施形態の物品吊り下げ部材(1)は、台紙等の展示用ボード(B)に設けられた縦長方形状の貫通孔(H)に取り付けられて、物品を吊り下げることができるようにするもので、合成樹脂製の一体品として形成されており、使用状態を示す図１および図２において、展示用ボード(B)の前側に位置する前側当接部(3)と、上側当接部(5)を介して前側当接部(3)に連結されている後側当接部(4)と、上端が上側当接部(5)に固定され、下端が自由端とされた湾曲状の弾性変形部(6)とを有している。
【００２３】
前側当接部(3)の前面中央部に、物品吊り下げ部(2)が前方に突出するように固定されている。物品吊り下げ部(2)は、前後にのびる棒状部(2a)と、棒状部(2a)の前端部において斜め上方に折り曲げられた屈曲部(2b)とからなる。
【００２４】
物品吊り下げ部材(1)の物品吊り下げ部(2)には、複数の物品を吊り下げることができる。展示用ボード(B)には、通常、複数の物品吊り下げ部材(1)が取付け可能なように、複数の貫通孔(H)が設けられる。
【００２５】
第１実施形態の物品吊り下げ部材(1)は、後述するように、物品を吊り下げることが可能な図１および図２（ａ）（ｂ）（ｃ）に示す使用状態から図４に示す展示用ボード(B)にほぼ平行な折り畳み状態に移動させることができる。
【００２６】
前側当接部(3)は、略方形の板状をなし、貫通孔(H)の上下高さよりも大きい左右幅と、貫通孔(H)の上下高さよりも小さい上下高さを有している。前側当接部(3)は、使用状態において、その左右端部が貫通孔左右縁部（貫通孔(H)の左右面を形成している展示用ボード(B)の部分）に前側から当接するものとされており、その上下面は、使用状態において、上面が貫通孔(H)の上端にほぼ面一で、下面が貫通孔(H)の下端よりも上に位置するようになされている。
【００２７】
後側当接部(4)は、貫通孔(H)の左右幅よりも小さく、貫通孔上縁部（貫通孔(H)の上端面を形成している展示用ボード(B)の部分）後面に平行な板状の短尺部(4a)と、短尺部(4a)の上端に連なって設けられた横断面円形の長尺部(4b)とからなる。
【００２８】
長尺部(4b)は、貫通孔(H)の左右幅よりも大きくかつ貫通孔(H)を通過させることができる左右長さを有している。これにより、後側当接部(4)の左右長さ(長尺部(4b))は、使用状態の左右方向を上下方向に傾けることで貫通孔(H)の前方からの挿入が可能で、かつ挿入後に使用状態の左右方向に戻すことで貫通孔(H)の前方への抜けを防止する大きさとされている。
長尺部(4b)の左右長さは、好ましくは、貫通孔(H)の上下長さよりもわずかに大きく、長尺部(4b)を貫通孔(H)の対角線方向にほぼ一致させた場合に貫通孔(H)を通過させることができる大きさとされる。このようにすると、一旦貫通孔(H)を通過させた後は、物品吊り下げ部材(1)がフリー状態になっても、物品吊り下げ部材(1)が貫通孔(H)から容易に前方に抜け出てくることが防止されるので好ましい。
【００２９】
取付け・取外しに際しては、後側当接部(4)を回転させてその左右方向を貫通孔(H)の対角線方向とすることで、後側当接部(4)を貫通孔(H)から出入りさせることができる。使用状態においては、短尺部(4a)は、その左右全長が貫通孔(H)の左右幅よりも小さい範囲で貫通孔上縁部に当接し、長尺部(4b)は、その左右全長が貫通孔(H)の左右幅よりも大きい範囲で、貫通孔上縁部に貫通孔(H)の上端よりも若干上方の位置で後側から当接する。
【００３０】
上側当接部(5)は、前端部が前側当接部(3)の上端部に固定され、後端部が後側当接部(4)の下端部に固定されており、使用状態において、その上面が貫通孔上縁部に下側から当接するようになされている。
【００３１】
弾性変形部(6)は、上端部が上側当接部(5)の後端部に固定されており、左右方向から見て、後側に凸の半円状とされた湾曲部(7)と、湾曲部(7)の自由端側に形成されて、その下面が貫通孔下縁部（貫通孔(H)の下端面を形成している展示用ボード(B)の部分）に上側から当接するようになされた水平状の下側当接部(8)と、下側当接部(8)に連なり、貫通孔縁部の前面よりも前方に突出した突出部(9)とからなる。
【００３２】
前側当接部(3)の下面は、弾性変形部(6)の突出部(9)の上面との間に間隙（弾性変形可能間隙）(G)を有するように形成されている。
【００３３】
下側当接部(8)の後端部には、下方に突出する突起(8)が設けられている。突起(8)は、下側当接部(8)の全長にわたって設けられている。突起(8)は、貫通孔下縁部に対向する平坦面状の前側傾斜面(10a)と、突起頂点（前側傾斜面(10a)の下端）から湾曲部(7)に連なる後側傾斜面(10b)とを有している。前側傾斜面(10a)は、下側当接部(8)となす角度が９０°より少し大きい鈍角となるように形成されている。後側傾斜面(10b)は、前側傾斜面(10a)の傾斜角度よりも小さい傾斜角度とされている。突起(8)の高さ（前側傾斜面(10a)の上端から下端までの上下方向距離）は、前側当接部(3)の下面と弾性変形部(6)の突出部(9)の上面との間の間隙(G)の大きさよりも小さくなされている。
【００３４】
突出部(9)の前端部には、斜め下方に屈曲した屈曲部(9a)が設けられている。突出部(7)は、これを親指で上方に押し上げることで、貫通孔下縁部に後側から対向している突起(8)を貫通孔下縁部上面よりも上側の位置まで移動させることができる。
【００３５】
前側当接部(3)の後面の左右の中央部には、補強用のリブ(11)が一体に設けられており、リブ(11)の上部は、湾曲部(7)の内面上部の左右の中央部に連なるように形成されている。
【００３６】
湾曲部(7)の外面上部の左右の中央部には、折り畳み時当接用のリブ(12)が一体に設けられている。湾曲部(7)の外面上部は、折り畳み時に貫通孔下縁部に前側から対向する面となっている。折り畳み時当接用のリブ(9)は、上側当接部(5)の上面に面一の上面(12a)と、上面(12a)に垂直な後面(12b)とを有しており、その上面(12a)が折り畳み時に展示用ボード(B)の下縁部前面に当接するようになされている。
【００３７】
図４は、第１実施形態の物品吊り下げ部材(1)の折り畳み状態を示している。同図（ａ）（ｂ）（ｃ）に示すように、折り畳み状態では、物品吊り下げ部(2)が展示用ボード(B)にほぼ平行な状態とされており、物品が吊り下げられていない場合には、物品吊り下げ部材(1)が取り付けられたこの状態で、展示用ボード(B)をコンパクトに積み重ねることができる。
【００３８】
物品吊り下げ部材(1)は、後側当接部(4)の長尺部(4b)が貫通孔下縁部に後側から当接することで、前方に移動することが防止されている。また、前側当接部(3)の上面が貫通孔(H)の下端寄り位置で左右縁部に当接することで、物品吊り下げ部材(1)が後方に移動することが防止されている。また、後側当接部(4)の短尺部(4a)が貫通孔下縁部に上側から当接することで、物品吊り下げ部材(1)の下方への移動が防止されている。さらに、折り畳み時当接用のリブ(9)の上面(12a)が貫通孔下縁部に前側から当接するようになされていることで、物品吊り下げ部(2)が展示用ボード(B)にほぼ平行な状態から回転することが防止されている。なお、図４において、物品吊り下げ部材(1)の上方向への移動および左右方向への回転は、可能とされている。
【００３９】
図２から図４に移動させる際の途中状態が図３（ａ）（ｂ）（ｃ）に示されている。途中状態では、図３（ｂ）に示すように、図２（ｂ）では貫通孔下縁部に後側から対向している突起(8)が貫通孔下縁部の前側に移動させられている。前側当接部(3)および後側当接部(4)は貫通孔縁部に当接しておらず、物品吊り下げ部(2)を展示用ボード(B)にほぼ平行な状態に移動させることができる。したがって、図３（ｂ）から物品吊り下げ部(2)を展示用ボード(B)にほぼ平行な状態に移動させ、さらに、物品吊り下げ部材(1)を下方に移動させることで、図４（ｂ）の折り畳み状態となる。
【００４０】
図２に示した使用状態から図３の状態にするには、突出部(9)を指で上方に押し上げて、突起(10)を貫通孔下縁部よりも上側に位置させ、この状態で、物品吊り下げ部(2)を前方に引く。このようにすることで、突起(10)が貫通孔下縁部を乗り越えて、図３の状態が得られる。
【００４１】
図３の途中状態から物品吊り下げ部(2)を使用状態である展示用ボード(H)にほぼ垂直な状態に移動させると、突起(10)の後側傾斜面(10b)が貫通孔下縁部を乗り越えて、突起(10)が貫通孔下縁部の後側に移動させられる。これにより、図２に示した使用状態となる。
【００４２】
図５（ａ）から（ｅ）までは、物品吊り下げ部材(1)を展示用ボードに取り付けていく状態を示している。図５（ａ）は、物品吊り下げ部材(1)が展示用ボードから離れた状態を示していて、物品吊り下げ部材(1)は、後側当接部(4)が使用状態における左右方向を貫通孔(H)の対角線方向にして貫通孔(H)に前側から臨まされている。後側当接部(4)は、その長尺部(4b)の長さが長尺部(4b)を貫通孔(H)の対角線方向にほぼ一致させた場合に貫通孔(H)を通過させることができる大きさとされているので、図５（ｂ）に示すように、貫通孔(H)内を通過して、貫通孔縁部に後側から臨まされる位置に移動させることができる。ここで、物品吊り下げ部材(1)を長尺部(4b)の長さ方向が貫通孔(H)の左右方向に一致するように（角度にして６０°〜７５°程度）回転させると、図５（ｃ）の状態になる。すなわち、後側当接部材(4)は、水平状態になり、貫通孔縁部の後面に沿って上下移動可能となる。この状態から、物品吊り下げ部材(1)を上方に移動させて図５（ｄ）の状態とし、物品吊り下げ部材(1)を９０°回転させると、図５（ｅ）、すなわち、使用状態が得られる。
【００４３】
図６および図７に、この発明の物品吊り下げ部材(1)の第２実施形態を示す。
第２実施形態の物品吊り下げ部材(1)は、第１実施形態の物品吊り下げ部材(1)を基準にして、図６に二点鎖線で示している後側当接部(4)の長尺部(4b)および折り畳み時当接用リブ(12)が除去されたものとなっている。
【００４４】
後側当接部(4)の長尺部(4b)は、第１実施形態の物品吊り下げ部材(1)において、突起(10)を押し上げた場合であっても物品吊り下げ部材(1)の前方への移動を阻止するようになっており、この長尺部(4b)が除去されて、短尺部(4a)のみとなっていることで、図４に示されている折り畳み状態が得られないようになっている。逆に、長尺部(4b)が除去されていることで、図７（ｂ）に示した状態で、突起(10)を押し上げることにより、物品吊り下げ部材(1)を回転させることなく前方へ移動させることができる。
【００４５】
すなわち、第２実施形態の物品吊り下げ部材(1)によると、図示省略したが、図５（ａ）（ｂ）のステップを省略して、図５（ｃ）（ｄ）（ｅ）のステップで取り付けることができ、図５（ｅ）の状態で突起(10)を押し上げるだけで、図５（ｄ）（ｃ）のステップで取り外すことができる。
【００４６】
上記第１および第２実施形態の物品吊り下げ部材(1)によると、左右端部が貫通孔左右縁部に前側から当接する前側当接部(3)と、貫通孔上縁部に後側から当接する後側当接部(4)と、下側当接部(8)に一体に設けられて貫通孔下縁部に後側から当接する突起(10)とによって、物品吊り下げ部材(1)の前後方向への移動が防止され、貫通孔上縁部に下側から当接する上側当接部(5)と、貫通孔下縁部に上側から当接する下側当接部(8)とによって、物品吊り下げ部材(1)の上下方向への移動が防止される。
【００４７】
また、物品吊り下げ部(2)の前端部に下向きの力が作用した際には、後側当接部(4)が貫通孔上縁部に後側から当接することで物品吊り下げ部材(1)の回転が防止され、物品吊り下げ部(2)の前端部に上向きの力が作用した際には、突起(10)が貫通孔下縁部に後側から当接することで物品吊り下げ部材(1)の回転が防止され、物品吊り下げ部(2)の前端部に左向きの力が作用した際には、前側当接部(3)の左端部が貫通孔左縁部に前側から当接することで物品吊り下げ部材(1)の回転が防止され、物品吊り下げ部(2)の前端部に右向きの力が作用した際には、前側当接部(3)の右端部が貫通孔右縁部に前側から当接することで物品吊り下げ部材(1)の回転が防止される。
【００４８】
こうして、物品吊り下げ部(2)に物品を吊り下げたり、物品吊り下げ部(2)から物品を取り外したりする際に、物品吊り下げ部(2)に種々の方向の力作用したとしても、物品吊り下げ部材(1)は、動くことなく、展示用ボード(B)に取り付けられた状態を維持することができる。
【００４９】
そして、下側当接部(8)が貫通孔下縁部から離れる方向に弾性変形可能とされていることにより、突出部(9)を押し上げることで下側当接部(8)およびこれに一体に設けられた突起(10)を上方に移動させて、突起(10)が貫通孔下縁部に後側から当接している状態から当接していない状態に突起(10)を移動させることができる。突起(10)が貫通孔下縁部に後側から当接していない状態では、物品吊り下げ部(2)の前端部に上向きの力が作用した際の物品吊り下げ部材(1)の回転が可能であり、物品吊り下げ部(2)の前端部に上向きの力を作用させて物品吊り下げ部材(1)を回転させることにより、突起(10)が貫通孔下縁部の前側に移動し、物品吊り下げ部材(1)は、フリーな状態になり、物品吊り下げ部材(1)を前方に移動させることで展示用ボード(B)への取外し作業が完了する。
【００５０】
逆に、取り外された状態の物品吊り下げ部材(1)に対して、突出部(9)を押し上げることで下側当接部(8)およびこれに一体に設けられた突起(10)を上方に移動させて、突起(10)を貫通孔下縁部の前側から後側へ移動させることにより、突起(10)が貫通孔下縁部に後側から当接する状態となり、展示用ボード(B)への取付け作業が完了する。
【００５１】
こうして、第１および第２実施形態によると、下側当接部(8)が貫通孔下縁部から離れる方向に弾性変形可能とされていることにより、突出部(9)を押し上げるだけで物品吊り下げ部材(1)の取付け・取外しを行うことができ、展示用ボード(B)への取付け・取外しが極めて容易な物品吊り下げ部材(1)を得ることができる。
【００５２】
そして、第１および第２実施形態のものは、取外しが容易であるため、紙製とされた展示用ボード(B)から合成樹脂製の一体品として形成された物品吊り下げ部材(1)を取り外して、分別して廃棄することが容易という利点を有しており、また、第１実施形態の物品吊り下げ部材(1)によると、物品吊り下げ部材(1)を折り畳み状態で維持できるというさらなる利点を有し、第２実施形態の物品吊り下げ部材(1)によると、取付け・取外しが第１実施形態のものよりもさらに容易となるという利点を有している。
【符号の説明】
【００５３】
(1)：物品吊り下げ部材
(2)：物品吊り下げ部
(3)：前側当接部
(4)：後側当接部
(4a)：短尺部
(4b)：長尺部
(5)：上側当接部
(6)：弾性変形部
(8)：下側当接部
(9)：突出部
(9a)：屈曲部
(10)：突起
(10a)：前側傾斜面
(10b)：後側傾斜面
(12)：折り畳み時当接用リブ
(12a)：上面
(12b)：下面
(B)：展示用ボード
(H)：貫通孔
(G)：間隙
【要約】
【課題】 展示用ボードへの取付けおよび取外しが容易である物品吊り下げ部材を提供する。
【解決手段】  物品吊り下げ部2が前方に突出するように固定されて左右端部が貫通孔左右縁部に前側から当接する前側当接部3と、貫通孔上縁部に後側から当接する後側当接部4と、貫通孔上縁部に下側から当接する上側当接部5と、貫通孔下縁部に上側から当接する下側当接部8と、貫通孔下縁部前面よりも前方に突出している突出部9と、貫通孔下縁部に後側から当接する突起10とを備えている。下側当接部8は、貫通孔下縁部から離れる方向に弾性変形可能とされている。取付けおよび取外し時には、突出部9を押し上げることで突起10を上方に移動させて、突起10が貫通孔下縁部に後側から当接している状態から当接していない状態に突起10を移動させることができる。
【選択図】    図１【図１】
0006820996.tif 000002
【図２】
0006820996.tif 000003
【図３】
0006820996.tif 000004
【図４】
0006820996.tif 000005
【図５】
0006820996.tif 000006
【図６】
0006820996.tif 000007
【図７】
0006820996.tif 000008